(57)【要約】      （修正有）【課題】展示販売用容器としても利用でき、しかも、保管時及び輸送時において扁平状の被包装物をより確実に保護可能な包装箱を提供する。【解決手段】包装箱１０は、上壁１２に形成された２本の上部破断線２２と、２本の上部破断線２２の端部に連なり周壁１３の下縁に向けてＶ字状に形成される側部破断線２３と、底壁１１の中央に形成される底部折り曲げ線と、を備え、上部破断線２２と側部破断線２３により囲われる上壁１２の一部及び周壁１３の一部が切除されて開口し、さらに底壁１１の下面の半部同士が重なるように底部折り曲げ線が折り曲げられることにより、２列の複数の扁平状の被包装物１８が、底部折り曲げ線で連なる一対の箱半体に上部が露出した状態で収納され、かつ、表示部が水平方向に向くように陳列される。【選択図】図１
0003197488.tif 000002
【実用新案登録請求の範囲】
【請求項１】
包装箱であって、
底壁と、
前記底壁の上方に対向して設けられる上壁と、
前記底壁の外周と前記上壁の外周を連結する周壁と、
前記底壁、前記上壁及び前記周壁によって囲われる空間であって複数の扁平状の被包装物を流通時に平積みの状態で収納可能な収納部と、
前記上壁に形成され、互いに離間して設けられる２本の上部破断線と、
前記周壁において対向する２つの壁のそれぞれに設けられ、前記周壁の上縁で前記２本の上部破断線の端部に連なり前記周壁の下縁に向けてＶ字状に形成される部分を有する側部破断線と、
前記底壁の中央に形成される底部折り曲げ線と、を備え、
前記上部破断線と前記側部破断線により囲われる前記上壁の一部及び前記周壁の一部が切除されて開口し、さらに前記底壁の下面の半部同士が重なるように前記底部折り曲げ線が折り曲げられることにより、前記複数の扁平状の被包装物が、前記底部折り曲げ線で連なる一対の箱半体に上部が露出された状態で２分されて収納され、かつ、各々の表示部が水平方向に向くように陳列されることを特徴とする包装箱。
【請求項２】
前記底部折り曲げ線が破断可能であることを特徴とする請求項１に記載の包装箱。
【考案の詳細な説明】
【技術分野】
【０００１】
本考案は、包装箱に関する。
【背景技術】
【０００２】
従来、展示販売用容器としても利用できる包装箱が提案されている（例えば、特許文献１参照）。
【０００３】
特許文献１には、外箱で構成され、この外箱の上面板から連続して左側面板及び右側面板に亘ってミシン目を形成し、このミシン目に囲われた部分を開函部材とした搬送兼展示販売用容器が開示される。この搬送兼展示販売用容器では、開函部材を取り除き、底面板の中間に設けられた折り曲げ線で底面板を折り曲げることにより、複数の内容物は、袴状に形成される容器半体のそれぞれに上部が露出した状態で整然と収納され、陳列可能である。
【０００４】
ところで、近年、展示販売用容器としても利用でき、しかも保管時及び輸送時において内容物（被包装物）をより確実に保護できる包装箱が求められている。しかし、特許文献１の技術には、内容物（被包装物）をより確実に保護する観点はない。
【先行技術文献】
【特許文献】
【０００５】
【特許文献１】実公昭４９−４３９００号公報
【考案の概要】
【考案が解決しようとする課題】
【０００６】
本考案は、このような事情に鑑みてなされたものであり、その目的は、展示販売用容器としても利用でき、しかも、保管時及び輸送時において扁平状の被包装物をより確実に保護可能な包装箱を提供することにある。
【課題を解決するための手段】
【０００７】
本考案は、以下の構成によって把握される。
（１）本考案は、包装箱であって、底壁と、前記底壁の上方に対向して設けられる上壁と、前記底壁の外周と前記上壁の外周を連結する周壁と、前記底壁、前記上壁及び前記周壁によって囲われる空間であって複数の扁平状の被包装物を流通時に平積みの状態で収納可能な収納部と、前記上壁に形成され、互いに離間して設けられる２本の上部破断線と、前記周壁において対向する２つの壁のそれぞれに設けられ、前記周壁の上縁で前記２本の上部破断線の端部に連なり前記周壁の下縁に向けてＶ字状に形成される部分を有する側部破断線と、前記底壁の中央に形成される底部折り曲げ線と、を備え、前記上部破断線と前記側部破断線により囲われる前記上壁の一部及び前記周壁の一部が切除されて開口し、さらに前記底壁の下面の半部同士が重なるように前記底部折り曲げ線が折り曲げられることにより、前記複数の扁平状の被包装物が、前記底部折り曲げ線で連なる一対の箱半体に上部が露出された状態で２分されて収納され、かつ、各々の表示部が水平方向に向くように陳列されることを特徴とする。
【０００８】
（２）本考案は、上記（１）の構成において、前記底部折り曲げ線が破断可能であることを特徴とする。
【考案の効果】
【０００９】
本考案によれば、展示販売用容器としても利用でき、しかも、保管時及び輸送時において扁平状の被包装物をより確実に保護可能な包装箱を提供することができる。
【図面の簡単な説明】
【００１０】
【図１】本考案の第１実施形態に係る包装箱の輸送形態の斜視図である。
【図２】第１実施形態に係る包装箱において一方の側壁から開封する様子を示す図である。
【図３】第１実施形態に係る包装箱において他方の側壁にて開封する様子を示す図である。
【図４】第１実施形態に係る包装箱において折り曲げ線で底壁を折り曲げる様子を示す図である。
【図５】第１実施形態に係る包装箱において一対の箱半体を背中合わせにした陳列形態を示す図である。
【図６】第１実施形態に係る包装箱において一対の箱半体の正面を同一方向に向けた陳列形態を示す図である。
【図７】本考案の第２実施形態に係る包装箱の輸送形態の斜視図である。
【図８】図７に示される包装箱を展開したブランクの平面図である。
【図９】第２実施形態に係る包装箱において上壁側から一方の側壁にかけて開封する様子を示す図である。
【図１０】第２実施形態に係る包装箱において上壁側から他方の側壁にかけて開封する様子を示す図である。
【図１１】本考案の第３実施形態に係る包装箱の輸送形態の斜視図である。
【図１２】図１１に示される包装箱を展開したブランクの平面図である。
【図１３】第３実施形態に係る包装箱において上壁側から側壁にかけて開封する様子を示す図である。
【図１４】第３実施形態に係る包装箱において折り曲げ線で底壁を折り曲げる方法を説明する図である。
【考案を実施するための形態】
【００１１】
以下、添付図面を参照して、本考案を実施するための形態（以下、「実施形態」と称する）について詳細に説明する。実施形態の説明の全体を通して同じ要素には同じ番号を付している。
【００１２】
（第１実施形態）
まず、第１実施形態に係る包装箱の構成を図１に基づいて説明する。
【００１３】
図１に示すように、第１実施形態に係る包装箱１０は、いわゆるラップアラウンド形式の段ボール箱であり直方体状に形成される。包装箱１０は、長方形状の底壁１１と、この底壁１１の上方に対向して設けられる長方形状の上壁１２と、底壁１１の外周と上壁１２の外周を連結する周壁１３とを備える。この周壁１３は、底壁１１及び上壁１２のそれぞれの短辺側を連結する一対の短側壁１５と、底壁１１及び上壁１２のそれぞれの長辺側を連結する一対の長側壁１６とからなる。
【００１４】
さらに、包装箱１０は、底壁１１、上壁１２及び周壁１３によって囲われる空間である収納部１７を有する。収納部１７には、平積みされた２列の複数（この例では、６つ）の扁平状の被包装物１８が収納可能である。
【００１５】
被包装物１８としては、冷凍食品などの食品を軟包装材で包んだものなど、扁平状のものであれば種類は任意である。
【００１６】
そして、包装箱１０は、上壁１２に形成される２本の上部破断線２２と、一対の長側壁１６（本考案にいう「周壁において対向する２つの壁」）のそれぞれに形成されるＶ字状の側部破断線２３とを有する。さらに、底壁１１の中央には、２列の被包装物１８の境界２１に沿って形成される底部折り曲げ線２５（図６参照）が設けられる。
【００１７】
図１に示すように、２本の上部破断線２２は、上方から見たときに境界２１の両側に互いに離間して設けられる。各上部破断線２２は、上壁１２の短辺側の端部に向けて膨らむ円弧状に形成される。側部破断線２３は、長側壁１６の上縁で２本の上部破断線２２の端部に連なり長側壁１６の下縁に向けてＶ字状に形成される。側部破断線２３の下端部には、人の指が挿入可能な押し込み部２６が形成される。
【００１８】
続いて、包装箱１０の単体を開封して被包装物１８を陳列する手順を図２〜図６に基づいて説明する。
【００１９】
（手順１−１）
手順１−１では、まず、図２に示すように、一対の長側壁１６の一方において押し込み部２６を指で押して、そのまま持ち上げて側部破断線２３及び上部破断線２２を切断しながら、一方の長側壁１６の上部及び上壁１２の中央部をそのまま持ち上げる（矢印（２））。
【００２０】
（手順１−２）
次に、手順１−２では、図３に示すように、一対の長側壁１６の他方において、側部破断線２３を切断しながら他方の長側壁１６の中央部を切除し（矢印（３））、一対の長側壁１６及び上壁１２を部分的に開放し、Ｖ字状の開口縁３３を形成する。
【００２１】
（手順１−３）
次に、手順１−３では、図４に示すように、さらに底壁１１の下面の半部同士が重なるように底部折り曲げ線２５を折り曲げる（矢印（４），（５））。これにより、底部折り曲げ線２５で連なるとともに背中合せになった展示販売用容器である一対の箱半体３５が形成され、複数の扁平状の被包装物１８の２列分が、一対の箱半体３５に上部が露出された状態で２分されて収納される。この際、境界２１付近で２列の被包装物１８の端部同士が互いに重なっていてもよく、その場合においても、２列の被包装物１８は、一対の箱半体３５に振り分けられて収納される。そして、図５に示すように、各被包装物１８は、表示などが施される表示部３６を水平方向に向けた姿勢で陳列される。
【００２２】
（手順１−４）
さらに、手順１−４では、必要に応じて、破断可能に形成された底部折り曲げ線２５を切断して、一対の箱半体３５を分離した後、一対の箱半体３５を互いに反対方向に９０°回転させる（矢印（６），（７））。これにより、図６に示すように、２列分の被包装物１８を同じ方向に向けて陳列することができる。
【００２３】
以上、説明した第１実施形態の作用・効果について述べる。
第１実施形態によれば、保管時及び輸送時においては、扁平状の被包装物１８を保護するうえで有利な平積みで被包装物１８を収納できる一方、一対の箱半体３５を展示販売用容器として利用することができる。
【００２４】
（第２実施形態）
次に、第２実施形態に係る包装箱１０Ｂの構成を図７、図８に基づいて説明する。
【００２５】
図７に示すように、第２実施形態に係る包装箱１０Ｂは、いわゆるＡ式の段ボール箱であり直方体状に形成される。上壁１２は一対の外フラップ４１（後述）によって形成されており、その中央部には、一対の手掛け用の折り曲げ片４２が対向して形成される。
【００２６】
図８に示すように、第２実施形態に係る包装箱１０Ｂのブランクは、一対の短側壁１５と一対の長側壁１６が縦罫線４３を介して連なっている。短側壁１５の上辺及び下辺には、内フラップ４５が横罫線４６を介して連なり、長側壁１６の上辺及び下辺には、外フラップ４１が横罫線４６を介して連なる。上側の一対の外フラップ４１及び一対の内フラップ４５は、上壁１２（図７参照）を形成する部分であり、上部破断線２２及び手掛け用の折り曲げ片４２が形成される。また、下側の一対の外フラップ４１及び一対の内フラップ４５は、底壁１１（図７参照）を形成する部分であり、下側の一対の外フラップ４１には底部折り曲げ線２５が形成される。
【００２７】
続いて、包装箱１０Ｂを開封して被包装物１８を陳列する手順を図９、図１０に基づいて説明する。
【００２８】
（手順２−１）
手順２−１では、まず、図９に示すように、一対の外フラップ４１の一方の端部において手掛け用の折り曲げ片４２に手を押し込み、折り曲げ片４２を指で摘まみ、そのまま上部破断線２２を切断しながら手前に引っ張った後、側部破断線２３を切断しながら一方の外フラップ４１及び一方の長側壁１６の一部を切除する（矢印（８））。
【００２９】
（手順２−２）
次に、手順２−２では、図１０に示すように、他方の外フラップ４１の端部において手掛け用の折り曲げ片４２に手を押し込み、同様にして、折り曲げ片４２を指で摘まみ、そのまま上部破断線２２を切断しながら手前に引っ張った後、側部破断線２３を切断しながら他方の外フラップ４１及び他方の長側壁１６の一部を切除し（矢印（９））、上壁１２及び一対の長側壁１６を部分的に開放し、Ｖ字状の開口縁３３を形成する。
【００３０】
（手順２−３）
次に、手順２−３では、底壁１１の下面の半部同士が重なるように底部折り曲げ線２５を折り曲げる（矢印（１０），（１１））。これにより、前述した第１実施形態の手順１−３と同じ要領で、背中合せになった展示販売用容器である一対の箱半体３５を形成し、複数の扁平状の被包装物１８の２列分を、一対の箱半体３５に上部が露出した状態で２分して収納し、かつ、各被包装物１８の表示部３６を水平方向に向けた姿勢で被包装物１８を陳列する。
【００３１】
この第２実施形態によれば、いわゆるＡ式の段ボール箱においても、前述した第１実施形態と同様に、保管時及び輸送時においては、扁平状の被包装物１８を保護するうえで有利な平積みで被包装物１８を収納できる一方、一対の箱半体３５を展示販売用容器として利用することができる。
【００３２】
（第３実施形態）
次に、第３実施形態に係る包装箱の構成を図１１、図１２に基づいて説明する。
図１１に示すように、第３実施形態に係る包装箱１０Ｃは、いわゆるＡ式の段ボール箱であり直方体状に形成される。上壁１２及び底壁１１は一対の長さ面５２（後述）によって形成されており、各短側壁１５は、一対の外フラップ４１（後述）によって形成され、外フラップ４１の突き合わさる端部同士はテープ５３によって封緘される。また、上壁１２には、２本の上部破断線を結ぶ一対のジッパー５５が形成される。一対のジッパー５５は、上壁１２の中央から２本の上部破断線２２に向けて上壁１２を引き裂き可能に設けられる。
【００３３】
なお、この包装箱１０Ｃに被包装物１８を箱詰めする際には、封緘していない一方の短側壁１５（外フラップ４１）を開口させるとともにその開口を上方に向け、上方に向けた開口から被包装物１８を装填する。
【００３４】
図１２に示すように、第３実施形態に係る包装箱１０Ｃのブランクは、一対の幅面５１と一対の長さ面５２が縦罫線４３を介して連なっている。一対の長さ面５２は、上壁１２及び底壁１１（図１１参照）を構成し、一対の幅面５１は、一対の長側壁１６（図１１参照）を構成する。幅面５１の上辺及び下辺には、内フラップ４５が横罫線４６を介して連なり、長さ面５２の上辺及び下辺には、外フラップ４１が横罫線４６を介して連なる。外フラップ４１及び内フラップ４５は、短側壁１５（図１１参照）を構成する。
【００３５】
続いて、包装箱１０Ｃを開封して被包装物１８を陳列する手順を図１１、図１３、図１４に基づいて説明する。
【００３６】
（手順３−１）
手順３−１では、まず、図１１に示すように、上壁１２の中央部から一対のジッパー５５を上部破断線２２まで引き裂いて（矢印（１２），（１３））、取り除く。これにより、図１３に示すように、上壁１２の中央に細長い開口縁５６が形成される。
【００３７】
（手順３−２）
次に、手順３−２では、細長い開口縁５６にて上壁１２の長辺寄りを掴み、上部破断線２２及び一方の長側壁１６の側部破断線２３を切断しながら手前に引っ張った後、上壁１２の一部及び一方の長側壁１６の一部を切除する（矢印（１４））。同様にして、上部破断線２２及び他方の長側壁１６の側部破断線２３を切断しながら引っ張り、上壁１２の一部及び他方の長側壁１６の一部を切除し（矢印（１５））、図１４に示すように、上壁１２及び一対の長側壁１６を部分的に開放し、Ｖ字状の開口縁３３を形成する。
【００３８】
（手順３−３）
次に、手順３−３では、底壁１１の下面の半部同士が重なるように底部折り曲げ線２５を折り曲げる（矢印（１６），（１７））。これにより、前述した第１実施形態の手順１−３と同じ要領で、背中合せになった展示販売用容器である一対の箱半体３５を形成し、複数の扁平状の被包装物１８の２列分を、一対の箱半体３５に上部が露出した状態で２分して収納し、かつ、各被包装物１８の表示部３６を水平方向に向けた姿勢で被包装物１８を陳列する。
【００３９】
この第３実施形態によれば、いわゆるＡ式の段ボール箱において、短側壁１５がテープ貼りで封緘されたものにおいても、前述した第１実施形態と同様に、保管時及び輸送時においては、扁平状の被包装物１８を保護するうえで有利な平積みで被包装物１８を収納できる一方、一対の箱半体３５を展示販売用容器として利用することができる。
【００４０】
以上、実施形態を用いて本考案を説明したが、本考案の技術的範囲は上記実施形態に記載の範囲には限定されないことは言うまでもない。上記実施形態に、多様な変更又は改良を加えることが可能であることが当業者に明らかである。またその様な変更又は改良を加えた形態も本考案の技術的範囲に含まれ得ることが、実用新案登録請求の範囲の記載から明らかである。
【符号の説明】
【００４１】
１０    包装箱
１０Ｂ  包装箱
１０Ｃ  包装箱
１０Ｄ  包装箱
１１    底壁
１２    上壁
１３    周壁
１５    短側壁
１６    長側壁
１７    収納部
１８    被包装物
２１    境界
２２    上部破断線
２３    側部破断線
２５    底部折り曲げ線
３５    箱半体
３６    表示部
【図１】
0003197488.tif 000003
【図２】
0003197488.tif 000004
【図３】
0003197488.tif 000005
【図４】
0003197488.tif 000006
【図５】
0003197488.tif 000007
【図６】
0003197488.tif 000008
【図７】
0003197488.tif 000009
【図８】
0003197488.tif 000010
【図９】
0003197488.tif 000011
【図１０】
0003197488.tif 000012
【図１１】
0003197488.tif 000013
【図１２】
0003197488.tif 000014
【図１３】
0003197488.tif 000015
【図１４】
0003197488.tif 000016